(57)【特許請求の範囲】
【請求項１】
可聴信号の電気信号を音声として再生するスピーカ及び該スピーカの感度情報を記憶する記憶部を有するヘッドホン装置の前記記憶部から前記感度情報を読み取るための情報読取部と、
前記ヘッドホン装置に供給する前記電気信号の出力レベルを調整する調整部と、
前記情報読取部を介して前記記憶部から前記感度情報を読み取るとともに、前記感度情報に基づいて前記電気信号が許容される最大出力レベル内となるように前記調整部を制御する制御部とを備え、
前記情報読取部は、前記ヘッドホン装置との間の接続部として、Ｌチャンネル用端子、Ｒチャンネル用端子、グランド端子、及び電源／制御端子を有するとともに、前記Ｌチャンネル用端子及び前記Ｒチャンネル用端子を、前記制御部と前記ヘッドホン装置の前記記憶部の間の接続端子とする場合と、前記可聴信号の前記ヘッドホン装置への供給端子とする場合とで接続切換を行う接続切換部を有し、
前記制御部は、前記接続切換部を切り換えることにより、前記Ｌチャンネル用端子、前記Ｒチャンネル用端子を経由して前記記憶部と通信可能とする
再生装置。
【請求項２】
前記調整部として、
前記電気信号を前記ヘッドホン装置への出力段となるパワーアンプと、
該パワーアンプへの供給電圧を切り換える電圧切換部とを有し、
前記制御部は前記感度情報に基づいて前記電圧切換部の供給電圧の切換制御を行う
請求項１に記載の再生装置。
【請求項３】
前記調整部として、
前記電気信号を処理するイコライザ部を有し、
前記制御部は、前記感度情報に応じて前記電気信号が許容される最大出力レベル内となるように前記イコライザ部を制御する
請求項１に記載の再生装置。
【請求項４】
前記調整部として、
前記電気信号のゲイン処理を行うゲイン部を有し、
前記制御部は、前記感度情報に応じて前記電気信号が許容される最大出力レベル内となるように前記ゲイン部を制御する
請求項１に記載の再生装置。
【請求項５】
前記調整部として、
前記電気信号のリミッタ処理を行うリミッタ部を有し、
前記制御部は、前記感度情報に応じて前記電気信号が許容される最大出力レベル内となるように前記リミッタ部を制御する
請求項１に記載の再生装置。
【請求項６】
前記調整部として、
前記電気信号を処理するコンプレッサ部を有し、
前記制御部は、前記感度情報に応じて前記電気信号が許容される最大出力レベルになるように前記コンプレッサ部を制御する
請求項１に記載の再生装置。
【請求項７】
制御部と、該制御部とヘッドホン装置との間の接続部と、該接続部として、Ｌチャンネル用端子、Ｒチャンネル用端子、グランド端子、及び電源／制御端子を有するとともに、前記Ｌチャンネル用端子及び前記Ｒチャンネル用端子を、前記制御部と前記ヘッドホン装置の記憶部との間の接続端子とする場合と、音声として再生される可聴信号の電気信号の前記ヘッドホン装置への供給端子とする場合とで接続切換を行う接続切換部とを有する再生装置の再生方法であって、
前記接続切換部を切り換えることにより、前記Ｌチャンネル用端子及び前記Ｒチャンネル用端子を、前記制御部と前記ヘッドホン装置の記憶部との間の接続端子とし、前記記憶部から前記ヘッドホン装置のスピーカの感度情報を読み取る情報読み取りステップと、
前記接続切換部を切り換えることにより、前記Ｌチャンネル用端子及び前記Ｒチャンネル用端子を、前記可聴信号の電気信号の前記ヘッドホン装置への供給端子とし、
前記情報読み取りステップにより前記記憶部から読み取られた前記感度情報に基づいて前記電気信号が許容される最大出力レベル内となるように制御する制御ステップとを備える
再生方法。
【発明の詳細な説明】
【技術分野】
【０００１】
本発明は、ヘッドホン装置の性能を最大限に発揮しつつ、音圧規制を守りながら、音声信号をヘッドホン装置に供給する再生装置に関する。
【先行技術文献】
【特許文献】
【０００２】
【特許文献１】特開２００９−２３２２０５
【背景技術】
【０００３】
上記特許文献に記載された発明は、再生音圧を規制するものではないが、各種タイプのヘッドホン装置に対し適正なノイズキャンセリングができるよう、ヘッドホン装置側にヘッドホン装置のタイプを識別するための情報を保持させる技術である。
【０００４】
現在、ヘッドホン装置の音声再生に関し、難聴対策のために再生音圧を所定の音圧に規制することが行われている。それは再生装置本体のアンプ部の最大出力電圧及びヘッドホン装置の最大感度（所定の信号をヘッドホンドライバに入力したときのヘッドホン出力をいわゆる騒音計（Ａ特性の周波数重み付けをした音圧レベルを測定できる）による測定値を所定の演算により求めた最大音圧のこと）を規定するものである。
つまり、アンプ出力電圧とヘッドホン装置感度のそれぞれの最大値を決めて、それを超えないよう調整する。すなわち、「規定最大アンプ出力」の特性のアンプと「規定最大ヘッドホン感度」の特性のヘッドホン装置とを組み合わせ、出力音圧を所定の音圧以内にするものである。
例えばヘッドホン装置でいえば、そのスピーカ入力部に直列に抵抗を接続することにより音圧を規制している。
【０００５】
これにより、ヘッドホン及びメディアプレイヤー等の再生装置が、それぞれ複数種類あった場合であっても、どの組み合わせにおいても、再生時ヘッドホン出力音圧として、規定の音圧を超えることはない。
【発明の概要】
【発明が解決しようとする課題】
【０００６】
しかしながら、この策により、アンプ出力電圧・ヘッドフォン感度に関して、技術向上により高めることができる状況であっても、規定のために直列に抵抗を挟むなどの処理を加え、規定出力電圧以下、規定感度以下におさめることがある。
しかしこの場合、再生装置及びヘッドフォン装置の本来の性能を発揮できてないだけでなく、抵抗に流れた分は熱になってしまい電力的に非効率であった。また、抵抗の付加は歪みの原因にもなり性能面でも好ましいものでない。
【０００７】
また例えば、「規定最大アンプ出力」よりも１０ｄＢ大きく再生可能だが「規定最大アンプ出力」に抑えられているアンプと、「規定最大ヘッドホン感度」まで性能が出なくて「規定最大ヘッドホン感度」より１０ｄＢ低い感度特性のヘッドホン装置の組み合わせの場合、規定音圧より１０ｄＢ低い音圧でしか再生できないこととなる。
この場合、アンプが本来の性能（「規定最大アンプ出力」よりも１０ｄＢ大きく再生する）を出しきれば、規制音圧を超えることなく規制音圧どおりの再生が可能となる。換言すれば、規制音圧内で高性能な再生が可能であるにもかかわらず、その性能が発揮できないという状況も生じる。
【０００８】
本発明はこのような状況に鑑み、ヘッドホン装置による音響再生を行うシステムにおいて、使用するヘッドホン装置の種別に応じた適切なレベルの音声信号（電気信号）を供給する再生装置を提供することを目的とする。
【課題を解決するための手段】
【０００９】
本発明の再生装置は、可聴信号の電気信号を音声として再生するスピーカ及び該スピーカの感度情報を記憶する記憶部を有するヘッドホン装置の前記記憶部から前記感度情報を読み取るための情報読取部と、前記ヘッドホン装置に供給する前記電気信号の出力レベルを調整する調整部と、前記情報読取部を介して前記記憶部から前記感度情報を読み取るとともに、前記感度情報に基づいて前記電気信号が許容される最大出力レベル内となるように前記調整部を制御する制御部とを備える。
また前記調整部として、前記電気信号を前記ヘッドホン装置への出力段となるパワーアンプと、該パワーアンプへの供給電圧を切り換える電圧切換部とを有し、前記制御部は前記感度情報に基づいて前記電圧切換部の供給電圧の切換制御を行う。
また前記情報読取部は、前記ヘッドホン装置との間の接続部として、Ｌチャンネル用端子、Ｒチャンネル用端子、グランド端子、及び電源／制御端子を有するとともに、前記Ｌチャンネル用端子及び該Ｒチャンネル用端子を、前記制御部と前記ヘッドホン装置の前記記憶部の間の接続端子とする場合と、前記可聴信号の前記ヘッドホン装置への供給端子とする場合とで接続切換を行う接続切換部を有し、前記制御部は、前記接続切換部を切り換えることにより、前記Ｌチャンネル用端子、前記Ｒチャンネル用端子を経由して前記記憶部と通信可能とする。
【００１０】
また前記調整部として、前記電気信号を処理するイコライザ部、前記電気信号のゲイン処理を行うゲイン部、前記電気信号のリミッタ処理を行うリミッタ部、前記電気信号を処理するコンプレッサ部を有する構成もある。それらの場合、前記制御部は、前記感度情報に応じて前記電気信号が許容される最大出力レベル内となるように、前記イコライザ部、前記ゲイン部、前記リミッタ部、前記コンプレッサ部のいずれか、又は複数を制御する。
【００１１】
本発明の再生方法は、制御部と、該制御部とヘッドホン装置との間の接続部と、該接続部として、Ｌチャンネル用端子、Ｒチャンネル用端子、グランド端子、及び電源／制御端子を有するとともに、前記Ｌチャンネル用端子及び前記Ｒチャンネル用端子を、前記制御部と前記ヘッドホン装置の記憶部との間の接続端子とする場合と、音声として再生される可聴信号の電気信号の前記ヘッドホン装置への供給端子とする場合とで接続切換を行う接続切換部とを有する再生装置の再生方法であって、前記接続切換部を切り換えることにより、前記Ｌチャンネル用端子及び前記Ｒチャンネル用端子を、前記制御部と前記ヘッドホン装置の記憶部との間の接続端子とし、前記記憶部から前記ヘッドホン装置のスピーカの感度情報を読み取る情報読み取りステップと、前記接続切換部を切り換えることにより、前記Ｌチャンネル用端子及び前記Ｒチャンネル用端子を、前記可聴信号の電気信号の前記ヘッドホン装置への供給端子とし、前記情報読み取りステップにより前記記憶部から読み取られた前記感度情報に基づいて前記電気信号が許容される最大出力レベル内となるように制御する制御ステップとを備える。
【００１２】
これらの本発明によれば、前記ヘッドホン装置のヘッドホン装置の記憶部に記憶されている感度に関する情報（感度情報）を、再生装置が自動的に取得することができる。すなわち、ユーザ操作によらず、前記ヘッドホン装置の感度に関する情報をヘッドホン装置が接続される度に取得することができる。
そして、このように取得したヘッドホン装置の感度に関する情報に基づき、再生装置が供給する電気信号が許容される最大出力レベルになるよう設定されるものとなる。これにより、使用するヘッドホン装置の別に応じた適切な最大出力レベルを再生装置側で自動的に設定することができる。
ここで、ヘッドホン装置の種別としては、例えばヘッドホン装置の機種の別や、具備される音響部品の特性の別などを挙げることができる。従って、上記本発明によれば、ヘッドホン装置の機種の別に応じた最大出力レベルの設定や、また、同一機種についてもその音響部品の特性の別に応じた最大出力レベルの設定を行うことができる。
また本発明によれば、Ｌチャンネル、Ｒチャンネルの端子を用いてヘッドホン装置側の記憶部に格納された感度に関する情報を読み出すことができる。したがって、接続部の形態を変えることなく従来の接続部をそのまま使用してヘッドホン装置と再生装置との通信が可能である。
【発明の効果】
【００１３】
本発明によれば、ヘッドホン装置ごとの記憶情報（感度情報）をユーザ操作によらず再生装置側で自動的に取得することができる。そして、このように取得したヘッドホン側記憶情報に基づき音圧規制をしていることで、ヘッドホン装置本来の性能を発揮した状態で、本来の音質を維持しながら再生することが可能となる。
つまり、上記本発明によれば、使用するヘッドホン装置の別に応じた適切な音圧制御をすることができる。
【図面の簡単な説明】
【００１４】
【図１】本発明の第１の実施の形態のブロック図である。
【図２】第１の実施の形態の接続切換部の詳細を示した説明図である。
【図３】実施の形態の無揮発性メモリからその記憶情報を読み出すタイミングの説明図である。
【図４】実施の形態のヘッドホン装置側に形成されるプラグと再生装置側に形成されるジャックの構造の説明図である。
【図５】実施の形態のパワーアンプの電源切換えの詳細を示した説明図である。
【図６】第１の実施の形態において実行されるべき処理動作について示したフローチャートである。
【図７】実施の形態の感度情報のフォーマットの説明図である。
【図８】ヘッドホン装置の種類の説明図である。
【図９】第２の実施の形態のブロック図である。
【図１０】第３の実施の形態のブロック図である。
【図１１】第４の実施の形態のブロック図である。
【図１２】第５の実施の形態のブロック図である。
【図１３】第６の実施の形態のブロック図である。
【図１４】実施の形態の無線タグとタグリーダを備える場合のヘッドホン装置側に形成されるプラグと再生装置側に形成されるジャックの構造を示した説明図である。
【発明を実施するための形態】
【００１５】
以下、本発明の第１〜第６の実施の形態を順に説明する。
＜第１の実施の形態＞
図１は、本発明の一実施形態としての再生装置（オーディオプレイヤー装置）１と、ヘッドホン装置２０とを備えて構成される第１の実施の形態について説明するための図である。このブロック図では、再生装置１の内部構成とヘッドホン装置２０の内部構成をそれぞれ示している。
【００１６】
図１において、再生装置１は、図中のヘッドホン装置２０として、種々のタイプのヘッドホン装置に対応可能に構成されている。ここで、本例の再生装置１が対応するヘッドホン装置２０のタイプについて、図８に示しておく。
【００１７】
図８に示されるように、本例の再生装置１は、（１）インナーイヤータイプのヘッドホン装置、（２）耳載せタイプのヘッドホン装置、（３）耳覆いタイプのヘッドホン装置タイプ等のヘッドホン装置が接続可能である。
これらのヘッドホン装置は、図のように各個体毎に所定の感度を有している。
【００１８】
説明を図１に戻す。
先ず、ヘッドホン装置２０の内部構成を説明する。
ヘッドホン装置２０は、接続プラグ２０Ａ、スピーカ２４、不揮発性メモリ２１、接続切換部８を備える。
このヘッドホン装置２０は、接続プラグ２０Ａが再生装置１側の接続ジャック１Ａと接続されることで再生装置１に取り付けられる。
スピーカ２４は、再生装置１から供給される音声信号を再生する。この音声信号は、Ｌ／Ｒチャンネル伝送路を経由して再生装置１から供給される。
【００１９】
不揮発性メモリ２１には、このヘッドホン装置２０の感度に関する情報（以下、感度情報）が格納されている。この感度情報は、後述する制御部６により読み出し可能となるようにされている。
感度情報は、一例とし図７のフォーマットで格納されている。すなわち、ＬチャンネルＲチャンネルについて１６ビットが割り当てられている。数値は感度の絶対値で格納されている。これにより、ヘッドホン装置２０の個体毎に規制音圧の再生が可能となる。
【００２０】
つぎに、再生装置１の内部構成を説明する。図１に示すように、再生装置１は、接続ジャック１Ａ、ストレージ部５、デコーダ３、パワーアンプ部２、電源電圧切換部２Ａ、プラグ接続検出部７、制御部６および接続切換部８を備える。
接続ジャック１Ａにはヘッドホン装置２０の接続プラグ２０Ａが接続され、ヘッドホン装置２０のスピーカ２４に対して音声信号を供給するＬ／Ｒチャンネル伝送路が形成される。
【００２１】
ストレージ部５は、音声信号データを始めとした各種データの保存に用いられる。
具体的な構成としては、例えばフラッシュメモリなどの固体メモリで構成されても良いし、例えばＨＤＤ（Hard Disk Drive）により構成されてもよい。
また内蔵の記録媒体ではなく、可搬性を有する記録媒体、例えば固体メモリを内蔵したメモリカード、ＣＤ（Compact Disc）やＤＶＤ（Digital Versatile Disc）などの光ディスク、光磁気ディスク、ホログラムメモリなどの記録媒体に対応するドライブ装置などとして構成することもできる。
もちろん、固体メモリやＨＤＤ等の内蔵タイプのメモリと、可搬性記録媒体に対するドライブ装置の両方が搭載されてもよい。
このストレージ部５は、制御部６の制御に基づいてオーディオデータその他の各種データについての書き込み／読み出しを行う。
なお、ストレージ部５においては、例えば音声信号データが所定の音声圧縮符号化方式により圧縮符号化された状態で記憶されているとする。
【００２２】
デコーダ３は、ストレージ部５から読み出された圧縮オーディオデータを伸張処理するものである。
【００２３】
パワーアンプ部２は、デコーダ３から出力された音声信号を所定の電力に増幅するものである。
なお、パワーアンプ部２の増幅段はデジタルアンプ構成でもアナログアンプ構成でも良い。アナログアンプ構成の場合、デコーダ３の出力をＤ／Ａ変換してからアナログ音声信号の増幅処理を行うこととなる。
【００２４】
プラグ接続検出部７は、接続プラグ２０Ａと接続ジャック１Ａが接続されたか否かを検出するものである。例えば、プラグ接続検出部７は所定の電圧が検出されたかどうかで、接続プラグ２０Ａの接続の有無を判定する。この判定信号は制御部６に送出される。
【００２５】
電源電圧切換部２Ａは、パワーアンプ部２に供給されている電源電圧を切り換えるものである。詳しくは後述する。
【００２６】
制御部６は、ストレージ部５に記憶された音声信号データの読み出し制御を行い、デコーダ３，パワーアンプ部２により音声信号をヘッドホン装置２０に送出させる。
また制御部６は、ヘッドホン装置２０に備えられている不揮発性メモリ２１の感度情報を読み出し、その感度情報に基づいて電源電圧切換部２Ａを切換え、音声信号が所定の音圧になるようにパワーアンプ部２の供給電圧を切換制御するものである。これにより、ヘッドホン装置本来の性能を維持しつつ、所定の規制音圧どおりの再生を可能とする。
【００２７】
再生装置１とヘッドホン装置２０の双方には接続切換部８が設けられている。
接続切換部８は，Ｌ／Ｒチャンネルを音声信号が流れる経路と、制御部６と不揮発性メモリ２１との通信がなされる経路とを切換えるものである。
図２は、その詳細を示したものである。
図示のように、各接続切換部８は、Ｌ／Ｒチャンネル伝送路に挿入された切換スイッチとされる。
また接続プラグ２０Ａ、接続ジャック１Ａには、それぞれＬチャンネル端子ＬＰ、ＬＪ、Ｒチャンネル端子ＲＰ、ＲＪ、グランド端子ＧＰ、ＧＪが設けられる。これらは通常のステレオ方式のプラグ／ジャックの構成端子と同一である。これに加えて電源／コントロール端子ＥＰ，ＥＪが設けられる。
【００２８】
各接続切換部８は、通常は、パワーアンプ部２からスピーカ２４までの音声信号の伝送路を形成するように図示の状態に接続端子が選択されている。
接続切換部８は、再生装置１にヘッドホン装置２０が接続されると、制御部６の制御により接続端子が切り換えられる。
即ち制御部６は、図１に示したプラグ接続検出部７からの信号により接続プラグ１Ａの接続を検出すると、電源／コントロール信号として所定電圧レベル（Ｈレベル）の出力を行う。
各接続切換部８は、この電源／コントロール信号がＨレベルとなると、接続端子をメモリ通信用の接続状態に切り換える構成とされている。
【００２９】
また不揮発性メモリ２１には、電源／コントロール信号が動作電源電圧として供給される状態となる。なお、不揮発性メモリ２１のグランドラインには、グランド端子ＧＰ、ＧＪによる接続ラインが共用されている。
そして電源／コントロール信号がＨレベルとなって接続切換部８の接続端子が切り換えられると、Ｌチャンネル端子ＬＰ、ＬＪ、及びＲチャンネル端子ＲＰ、ＲＪで接続されたＬ／Ｒチャンネル伝送路が、制御部６と不揮発性メモリ２１の間でメモリ用信号ｓｍ１、ｓｍ２をやりとりする伝送路として利用される状態となる。
これにより、制御部６は、不揮発性メモリ２１とＬ／Ｒチャンネルを介して接続され、この接続により、制御部６は不揮発性メモリ２１の感度情報を読み出すことが可能となる。
読み出し終了後は、制御部６は電源／コントロール信号をＬレベルとする。すると接続切換部８がＬ／Ｒチャンネルを音声信号が流れる経路に切換え、ヘッドホン装置２０は音声信号が再生可能となる。
以上の構成は、従来からある接続プラグ１Ａを再生装置１はそのまま使用することができることを意味している。接続プラグ１Ａの端子又は形状を大きく変更することなく、制御部６は不揮発性メモリ２１の感度情報を読み出すことができる。
【００３０】
図３は、制御部６が不揮発性メモリ２１の感度情報を読み出すタイミングを示したものである。
図３において、電源／コントロール信号は、上述のように接続切換部のスイッチを切換えるための制御信号かつ不揮発性メモリ２１の電源電圧となる。
期間ｔ１の間は、電源／コントロール信号はＨレベルとなっており、Ｌ／Ｒチャンネルは制御部６と不揮発性メモリ２１との通信がなされる経路に切換えられている。
この状態で制御部６のメモリ用信号ｓｍ１として不揮発性メモリ２１にクロックが供給される。このクロックに同期してメモリ信号ｓｍ２として、不揮発性メモリ２１から制御部６に感度情報が送出される。
その感度情報に基づいて、制御部６は期間ｔ２の間に上記の電源電圧切換部２Ａを切換え、所定の音圧になるようにパワーアンプ部２の供給電圧を切換制御する。ｔ３以降は電源／コントロールは、Ｌレベルになり、Ｌ／Ｒチャンネルを音声信号が流れる経路に切換え音声信号が伝送される。
【００３１】
図４は、ヘッドホン装置２０と再生装置１を接続する、接続プラグ２０Ａと接続ジャック１Ａの端子構造の具体例を示したものである。接続プラグ２０Ａと接続ジャック１Ａは嵌合され、各端子が接続される。
図４において、先ずヘッドホン装置２０側の接続プラグ２０Ａには、先に説明した再生装置１から供給される音声信号の入力端子として、Ｌチャンネル用の端子ＬＰとＲチャンネル用の端子ＲＰが形成されている。また接続切換部８を切り換える信号である電源／コントロール信号用の端子ＥＰが形成されている。さらに、上記Ｌチャンネル、Ｒチャンネルおよび電源／コントロール信号に共通となるグランド端子ＧＰが形成されている。また、接続プラグ２０Ａには位置決めのために突起部が形成されている。
このとき、上記端子ＬＰ、端子ＲＰ、端子ＧＰは、図のようにそれぞれが同軸上に独立したリング状の形状で配置されるように形成されている。これに対し、上記電源／コントロール信号用の端子ＥＰは、同軸上には配置せずに、これら同軸上の各端子ＬＰ、ＲＰ及びＧＰが配置される部分から突出するようにして設けられている。
【００３２】
一方、オーディオプレイヤ１側の接続ジャック１Ａには、上記突起部を嵌合して位置決めするための突起受け部が形成されている。つまり、この位置決め部が形成されていることで、接続ジャック１Ａと接続プラグ２０Ａは所定の位置関係で接続されるようになっている。
なお、ここでは図示の都合上、接続ジャック１Ａ側におけるＬチャンネル用、Ｒチャンネル用、及び上記グランド端子ＧＰに接するグランド端子の図示は省略しているが、これらの端子は、接続プラグ２０Ａが接続された際、図２に示したように接続プラグ２０Ａ側に設けられた対応する端子と１対１で接するように接続ジャック１Ａ内に形成されている。
【００３３】
その上で、ヘッドホン装置２０側の接続プラグ２０Ａには、先に説明した電源／コントロール信号用の端子ＥＪが形成されている。
この端子は、上記位置決め部により位置決めされるようにして接続ジャック１Ａに接続プラグ２０Ａが接続されたときに、[ＥＪ・ＥＰ]の対応関係で各端子が一対一で接するようにして設けられている。
【００３４】
この図４にて説明したような接続プラグ２０Ａと接続ジャック１Ａの構造により、再生装置１に対しヘッドホン装置２０が接続されたときに、上記不揮発性メモリ２１に対する電力供給が行われ、且つ上記不揮発性メモリ２１に記憶される情報の制御部６による読み出しが可能な状態となるようにされている。
また、再生装置１からヘッドホン装置２０へのオーディオ信号の供給が可能となるようにされている。
【００３５】
図５は、パワーアンプ２の電源電圧切換部２Ａの詳細を示したものである。パワーアンプ２としてアナログアンプの場合とデジタルアンプの場合を示している。
図５（ａ）は、アナログアンプの場合である。図５（ａ）において、アナログ音声信号がアナログアンプに供給され所定の音声信号に増幅され出力される。上記アナログ音声信号は、デコーダ３から出力された信号が図示していないＤ／Ａ変換器により変換された信号である。
ここで、パワーアンプ２自体を働かせるために電圧を供給することが必要となる。このとき、例えば、５Ｖの正弦波を出力させるためには最低でも１４Ｖ（５×√２×２）の電圧を供給することが必要となる。したがって、図５（ａ）の場合には、−７Ｖ〜７Ｖが供給されることが必要である。
【００３６】
上記電圧の電圧値を切り換えることができれば、音声出力に合わせて必要な大きさの電圧を供給することができ、無駄な電圧を消費しなくてよい。図５（ａ）では、供給電圧（＋電圧、−電圧）に対して、１倍、１／２倍、１／４倍、１／８倍の切換が可能となっている。
この切換は、制御部６のコントロール信号により行われる。すなわち、ヘッドホン装置２０の不揮発性メモリ２１から制御部６が感度情報を読み出し、その感度情報に基づいて、制御部６はコントロール信号によりアナログアンプに供給すべき電圧を切換える。
【００３７】
例えば、不揮発性メモリ２１に感度情報として１００ｄＢが格納されており、音圧規制値が８５ｄＢの場合、感度１００ｄＢではアナログアンプの電圧出力は０．１２６Ｖｒｍｓ（＝−１８ｄＢＶ）となる。この値に対し音圧規制値が８５ｄＢであるから、アナログアンプの電圧出力は、ｄＢＶ値＝−１８−１５＝−３３ｄＢＶ、実行値＝２２．４Ｖｒｍｓ、ピーク値＝３１．７ｍＶとなる。
したがって、ヘッドホン装置の感度１００ｄＢがわかっていれば、アナログアンプの出力は、片側３１．７ｍＶを超えることはない。これを示しているのが、図５（ｂ）である。
【００３８】
この３１．７ｍＶのピーク値を算出することにより、例えば供給電圧が０．５Ｖであった場合、その電圧の１／８の電圧である６２．５ｍＶの供給電圧で十分に動作可能となる。すなわち、無駄な電圧供給による電力消費を抑えることができ、音声再生経路に直列に抵抗を付加するという方法をとらないで、規制音圧にすることができ、音質劣化や周波数特性の変化を回避できる。
【００３９】
図５（ｃ）は、デジタルアンプの場合である。図５（ｃ）において、デコーダ３から出力されたデジタル音声がデジタルアンプに供給され所定の音声信号に増幅され出力される。パワーアンプ２から出力された信号はデジタル信号なので、その信号は図示していないＤ／Ａ変換器により変換されアナログ信号としてヘッドホン装置２０に供給される。
供給電圧の切り換えは、アナログアンプの場合と同様の方法で行われる。図５（ｄ）は、供給電圧を切り換える前とその供給電圧を１／２にした場合のデジタルアンプの出力波形を示している。
【００４０】
図６は、上記により説明した第１の実施の形態としての設定（変更）動作を実現するために実行されるべき処理動作を示したフローチャートである。
なお、この図６における処理動作は、制御部６が例えばＲＯＭなどに記憶されるプログラムに基づいて実行するものである。
【００４１】
先ず、制御部６は電源オンまたはプラグ挿入を検知する。制御部６はプラグが接続されるまでは待機する処理を実行する。電源オンまたはプラグ挿入を制御部６が検知すると、ステップＳ１０１に制御部６の処理が移る。
そしてステップＳ１０１では、制御部６がヘッドホン装置に設けられた不揮発性メモリ２１から感度情報を読み取る。例えば図３で説明した動作で読取を行う。制御部６が感度情報を読み取ると、ステップＳ１０２に制御部６の処理が移る。
【００４２】
ステップＳ１０２では、制御部６はその感度情報に対応できるか判別処理を行う。感度情報に対応できない場合、新規に発売されたものであるなど、その時点で未対応機種である場合が想定される。この場合、制御部６はステップＳ２０１の処理に進み、対応できない場合の処理を行う。例えばユーザに対し、ワーニングや、ファームウェアダウンロードの指示等の表示を図示しない表示部で実行させるなどである。
【００４３】
ステップＳ１０２の判別処理で、感度情報に対応できる場合、制御部６はステップＳ１０３の処理に進み、アンプ電圧の供給電圧をその１／２またはその１／４等の切換えを行う。つまり図５で説明したパワーアンプ部２の電源電圧の切換設定を行う。
制御部６は、感度情報に基づいて、ヘッドホン装置２０に供給する音声信号が許容される最大出力レベル内となるようにパワーアンプ部２の電源電圧の調整制御を行うこととなる。
なお、後述する第２〜第５の実施の形態の場合、このステップＳ１０３の処理は、ゲイン部の調整、リミッタ部の調整、イコライザ部の調整、コンプレッサ部の調整、或いはこれら４つのすべての調整などとなる。
【００４４】
その後、制御部６は再生制御を行う。即ちストレージ部５からの音楽コンテンツ等のデータの読出制御を行い、読み出された音声データをデコーダ３、パワーアンプ部２を介してヘッドホン装置２０に供給させる。
【００４５】
以上説明した第１の実施の形態によれば、使用するヘッドホン装置２０の個体毎にユーザ操作によらず装置側で自動的に識別することができる。またこれと共に、使用するヘッドホン装置２０に応じた適切な感度設定を再生装置側で自動的に行うことができる。
【００４６】
このようにして、使用するヘッドホン装置２０に応じた感度設定が自動でできると共に、電力消費を抑えながら、ヘッドホン装置本来の性能を発揮し、所定の音圧で本来の音質を維持しながら再生することが可能となる。  
例えば、上記で説明したとおり、パワーアンプに対する供給電圧が０．５Ｖであり、規制されている音圧に対応する最大電圧（ゼロピーク電圧）が３１．７ｍＶである場合、０．５Ｖの電圧を供給しないで、その１／８の電圧値である６２．５ｍＶを供給することができる。抵抗付加をして、熱エネルギーにしてしまうといった非効率を排除できる。
【００４７】
＜第２の実施の形態＞
続いて、第２の実施の形態について説明する。
上記により説明した第１の実施の形態では、ヘッドホン装置２０の所定の種別ごとに固有の感度情報をヘッドホン装置２０内の不揮発性メモリ２１に持たせ、その感度情報を再生装置１が読み出し、その値に基づいてパワーアンプ２の電源電圧を切換え音圧規制をするものである。つまりヘッドホン装置２０に供給する音声信号が許容される最大出力レベル内となるようにする調整をパワーアンプ部２の電源電圧の調整という形で行う例である。
これ以外に、ヘッドホン装置２０に供給する音声信号が許容される最大出力レベル内となるようにする調整を部位の例は各種考えられる。第２〜第５の実施の形態はパワーアンプ部２以外を出力音圧の調整部として機能させる各例となる。
【００４８】
図９は、第２の実施の形態のブロック図である。以下の説明において、既に説明した部分と同様となる部分については同一符号を付して説明を省略する。
ここでは、不揮発性メモリ２１の感度情報に基づいて、パワーアンプに入力する信号をゲイン部９ａを調整することにより音声の音圧規制をするものである。
デコーダ３から出力される音声信号は、ゲイン部９ａで所定のゲインが与えられた後、パワーアンプ部２に供給される構成となる。
ゲイン部９ａの調整は制御部６によりコントロール信号を用いて行われる。ゲイン部９ａは、例えばＤＳＰ（Digital Signal Processor）９により実現される。ＤＳＰ９は、プログラム（図示せず）により各種デジタル信号処理を実行する。
【００４９】
上述の図６を用いて、本第２の実施の形態としての設定（変更）動作を実現するために実行されるべき処理動作を説明する。
ステップＳ１０１、ステップ１０２、ステップＳ２０１までの処理は第１の実施の形態の場合と同じである。
ステップＳ１０２の判別処理で、感度情報に対応できる場合、その感度情報に基づいて制御部６はステップＳ１０３の処理に進み、ゲイン部９ａの調整を行う。調整されるゲインの値は、ヘッドホン装置２０に供給する音声信号が許容される最大出力レベル内となる値とされる。
その後、制御部６は再生処理を行う。これにより、本来の音質を維持しながら、音圧規制をすることができる。
【００５０】
＜第３の実施の形態＞
続いて、第３の実施の形態について説明する。
図１０は、第３の実施の形態を示す。以下の説明において、既に説明した部分と同様となる部分については同一符号を付して説明を省略する。
ここでは、不揮発性メモリ２１の感度情報に基づいて、パワーアンプに入力する信号をリミッタ部９ｂを調整することにより、音声の音圧規制をするものである。リミッタ部９ｂの機能は、ＤＳＰ９により実現される。
この場合、デコーダ３から出力される音声信号は、リミッタ部９ｂで所定のリミットレベルでのリミッタ処理が与えられた後、パワーアンプ部２に供給される構成となる。リミッタ部９ｂのリミットレベルの調整は制御部６によりコントロール信号を用いて行われる。
【００５１】
図６により、第３の実施の形態としての設定（変更）動作を実現するために実行されるべき処理動作を説明する。
ステップＳ１０１、ステップ１０２、ステップＳ２０１までの処理は第１の実施の形態の場合と同じである。
ステップＳ１０２の判別処理で、感度情報に対応できる場合、その感度情報に基づいて制御部６はステップＳ１０３の処理に進み、リミッタ部９ｂのリミットレベル調整を行う。調整されるリミットレベルの値は、ヘッドホン装置２０に供給する音声信号が許容される最大出力レベル内となる値とされる。
その後、制御部６は再生処理を行う。これにより、本来の音質を維持しながら、音圧規制をすることができる。
【００５２】
＜第４の実施の形態＞
続いて、第４の実施の形態について説明する。
図１１は、第４の実施の形態のブロック図である。既に説明した部分と同様となる部分については同一符号を付して説明を省略する。
ここでは、不揮発性メモリ２１の感度情報に基づいて、パワーアンプに入力する信号をイコライザ部９ｃを調整することにより、周波数特性を変化させ、音声の音圧規制をするものである。イコライザ部９ｃの機能は、ＤＳＰ９により実現される。
この場合、デコーダ３から出力される音声信号は、イコライザ部９ｃで周波数特性が調整された後、パワーアンプ部２に供給される構成となる。イコライザ部９ｃの周波数特性の調整は制御部６によりコントロール信号を用いて行われる。
【００５３】
図６により、第４の実施の形態としての設定（変更）動作を実現するために実行されるべき処理動作を説明する。
ステップＳ１０１、ステップ１０２、ステップＳ２０１までの処理は第１の実施の形態の場合と同じである。
ステップＳ１０２の判別処理で、感度情報に対応できる場合、その感度情報に基づいて制御部６はステップＳ１０３の処理に進み、イコライザ部９ｃの調整を行う。選択される周波数特性は、感度情報に応じてヘッドホン装置２０に供給する音声信号のレベルが許容される最大出力レベル内となるようにする特性である。
その後、制御部６は再生処理を行う。これにより、本来の音質を維持しながら、音圧規制をすることができる。
【００５４】
＜第５の実施の形態＞
続いて、第５の実施の形態について説明する。
上記により説明した第２〜第４の実施の形態では、ヘッドホン装置２０の所定の種別ごとに固有の感度情報をヘッドホン装置２０内の不揮発性メモリ２１に持たせ、その感度情報を再生装置１が読み出し、その値に基づいてパワーアンプ入力信号のゲイン部９ａ、リミッタ部９ｂ、イコライザ部９ｃをそれぞれ独立に調整するものである。
第５の実施の形態では、制御部６が複数箇所を調整する例を挙げる。
【００５５】
図１２は、第５の実施の形態のブロック図である。既に説明した部分と同様となる部分については同一符号を付して説明を省略する。
ここでは、不揮発性メモリ２１の感度情報に基づいて、パワーアンプに入力する信号をゲイン部９ａ、イコライザ部９ｃ、コンプレッサ部９ｄの調整と、さらにパワーアンプ２への供給電圧を電源電圧切換部２Ａにより調整することを総合的に行い、音声の音圧規制をするものである。
ゲイン部９ａ、イコライザ部９ｃ、コンプレッサ部９ｄの機能はＤＳＰ９により実現される。
【００５６】
この場合、デコーダ３から出力される音声信号は、ゲイン部９ａで所定のゲインが与えられ、イコライザ部９ｃで周波数特性が調整され、コンプレッサ部９ｄでコンプレッサ処理された後、パワーアンプ部２に供給される構成となる。
ゲイン部９ａのゲイン値、イコライザ部９ｃの周波数特性、コンプレッサ部９ｄの調整、電源電圧切換部２Ａの切換制御は、制御部６によりコントロール信号を用いて行われる。
ここで、コンプレッサ部９ｄが系に入っているのは、音圧規制値を超えることなく、大きな音はそのままで小さな音のみの時、ゲインアップする機構によりダイナミックレンジを意図的に減らし、「音量感」を演出するものである。この時のアタックやリリースなどの時定数により印象が代わるため、これは、ヘッドホン感度情報から最適値を算出、またはあらかじめプリセットしたテーブル値を使って設定するのが良い。
【００５７】
図６により、第５の実施の形態としての設定（変更）動作を実現するために実行されるべき処理動作を説明する。
ステップＳ１０１、ステップ１０２、ステップＳ２０１までの処理は第１の実施の形態の場合と同じである。
ステップＳ１０２の判別処理で、感度情報に対応できる場合、その感度情報に基づいて制御部６はステップＳ１０３の処理に進み、ゲイン部９ａ、イコライザ部９ｃ、コンプレッサ部９ｄの調整さらにパワーアンプ２への供給電圧の切換制御を総合的に制御する。即ち各部の制御結果として、ヘッドホン装置２０に供給する音声信号が許容される最大出力レベル内となる値となるようにされる。
その後、制御部６は再生処理を行う。これにより、本来の音質を維持しながら、音圧規制をすることができる。
【００５８】
なお、ここでは制御部６は、４つの部位を総合的に制御するものとしたが、ゲイン部９ａ、イコライザ部９ｃ、コンプレッサ部９ｄ、電源電圧切換部２Ａのうちの３つ、又は２つの部位を制御する例も考えられる。
またコンプレッサ部９ｄのみを制御してヘッドホン装置２０に供給する音声信号が許容される最大出力レベル内となるようにすることも考えられる。
【００５９】
＜第６の実施の形態＞
続いて、第６の実施の形態について説明する。
上記により説明した第１の実施の形態では、ヘッドホン装置２０の不揮発性メモリ２１に格納されている、固有の感度情報の再生装置１による読み取りは、接続プラグ２０Ａと接続ジャック１Ａの接続により、嵌合した各端子を介して行われるものとしたが、他の方式も考えられる。
第６の実施の形態では、無線通信により制御部６が感度情報を読み取る例を挙げる。
【００６０】
図１３は、第６の実施の形態を示す。既に説明した部分と同様となる部分については同一符号を付して説明を省略する。
ヘッドホン装置２０側に無線タグ２２が備えられている。ここに感度情報が格納されている。
再生装置１にはタグリーダ１０が備えられている。このタグリーダ１０により無線タグ２２の感度情報が読み出される。即ち、ヘッドホン装置２０が再生装置１に接続されると、近距離無線通信により、タグリーダ１０が無線タグ２２にアクセスし、格納されている感度情報を読み取る。そしてタグリーダ１０は読み取った感度情報を制御部６に伝える。この感度情報に基づき、制御部６が第１〜第５の実施形態と同様の制御動作を行う。
【００６１】
図１４は、第６の実施の形態の再生装置１に形成される接続ジャック１Ａと、ヘッドホン装置２０側に形成される接続プラグ２０Ａの構造例を示している。
図示するように、この場合のヘッドホン装置における接続プラグ２０Ａの内部には、無線タグ２２が設けられる。
また、再生装置１における接続ジャック１Ａには、無線タグ２２に記憶される情報を無線通信（非接触）により読み取るためのタグリーダ１０が設けられる。
【００６２】
この場合、無線タグ２２はいわゆるパッシブタイプのものが用いられ、タグリーダ１０による電波照射によって電力供給が行われることで、内部のメモリ素子の記憶データを電波により送出する。タグリーダ１０は電波照射に応じて上記無線タグ２２から送出されるデータを読み取る。
【００６３】
ここで、上記無線タグ２２とタグリーダ１０のそれぞれは、少なくともジャック部に対しプラグ部が接続されたときに、通信可能範囲内に収まる位置関係となるようにして設けられる。
【００６４】
また、この場合は、ヘッドホン装置２０側に記憶される情報の読み取りにあたってデータ通信ライン、及び電源供給のためのラインは不要となるため、先の第１の実施の形態の場合に設けられていた接続ジャック１Ａ側および及び接続プラグ２０Ａ側の電源／コントロール端子は省略することができる。
第６の実施の形態としての図６に示される設定（変更）動作を実現するために実行されるべき処理動作は、第１から第５の実施の形態と同様である。
【符号の説明】
【００６５】
１  再生装置、１Ａ  接続プラグ、２  パワーアンプ、３  デコーダ、５  ストレージ部、６  制御部、７  プラグ接続検出部、８  接続切換部、９  ＤＳＰ、９ａ  ゲイン部、９ｂ  リミッタ部、９ｃ  イコライザ部、１０  タグリーダ、２０  ヘッドホン装置、２０Ａ  接続ジャック、２１  不揮発性メモリ、２２  無線タグ
【図１】
0005556408.tif 000002
【図２】
0005556408.tif 000003
【図３】
0005556408.tif 000004
【図４】
0005556408.tif 000005
【図５】
0005556408.tif 000006
【図６】
0005556408.tif 000007
【図７】
0005556408.tif 000008
【図８】
0005556408.tif 000009
【図９】
0005556408.tif 000010
【図１０】
0005556408.tif 000011
【図１１】
0005556408.tif 000012
【図１２】
0005556408.tif 000013
【図１３】
0005556408.tif 000014
【図１４】
0005556408.tif 000015